(57)【要約】【課題】嫌気性バイオスティミュレーションを利用して汚染土壌及び地下水を浄化するにあたり、嫌気性微生物活性剤と温度適正範囲を特定し、地中温度を温度適正範囲まで上昇させることにより、ＶＯＣの分解能を向上させ、土壌及び地下水の浄化処理期間を短縮する。【解決手段】嫌気性バイオスティミュレーションを利用して汚染土壌及び地下水を浄化する土壌・地下水浄化方法であって、地中に嫌気性微生物活性剤を添加し、地中を３５℃未満に加熱する。地中に嫌気性微生物活性剤を添加するとともに、地中を直接加熱することで、微生物の活性に最適な条件とすることができる。地中を直接加熱して、地中の温度を３５℃未満に加熱することで、微生物の活性化を促進させ、ＶＯＣの分解能を向上させて、土壌のＶＯＣの分解処理期間を短縮する。【選択図】図１
2015024401.tif 000002
【特許請求の範囲】
【請求項１】
嫌気性バイオスティミュレーションを利用して汚染土壌及び地下水を浄化する土壌・地下水浄化方法であって、
地中に嫌気性微生物活性剤を添加し、
地中を３５℃未満に加熱することを特徴とする、土壌・地下水浄化方法。
【請求項２】
地中にヒータを挿入して土壌及び地下水を加熱することを特徴とする、請求項１に記載の土壌・地下水浄化方法。
【請求項３】
地中に設けられた加熱井戸に前記ヒータを挿入することを特徴とする、請求項２に記載の土壌・地下水浄化方法。
【請求項４】
嫌気性微生物活性剤を含有する薬液を加熱して地中に注入し、地中に嫌気性微生物活性剤を添加するとともに、地中を加熱することを特徴とする、請求項１に記載の土壌・地下水浄化方法。
【請求項５】
地中に設けられた薬液注入井戸に、加熱された嫌気性微生物活性剤を含有する薬液を注入することを特徴とする、請求項４に記載の土壌・地下水浄化方法。
【請求項６】
地中に設けられた井戸に温水を注入することによって地中を加熱することを特徴とする、請求項１に記載の土壌・地下水浄化方法。
【請求項７】
地中に設けられた薬液注入井戸に、嫌気性微生物活性剤を含有する薬液を注入した後、温水を注入することを特徴とする、請求項６に記載の土壌・地下水浄化方法。
【請求項８】
地中に設けられた薬液注入井戸の上部から、嫌気性微生物活性剤を含有する薬液を注入し、同時に、前記薬液注入井戸の底部から温水を注入することを特徴とする、請求項６に記載の土壌・地下水浄化方法。
【請求項９】
嫌気性バイオスティミュレーションを利用して汚染土壌及び地下水を浄化する土壌・地下水浄化装置であって、
地中に設けられ、地中に嫌気性微生物活性剤を含有する薬液を注入する薬剤注入井戸と、
地中に設けられ、地中を加熱する加熱井戸と、
前記加熱井戸に挿入されるヒータを備えることを特徴とする、土壌・地下水浄化装置。
【請求項１０】
嫌気性バイオスティミュレーションを利用して汚染土壌及び地下水を浄化する土壌・地下水浄化装置であって、
地中に嫌気性微生物活性剤を含有する薬液を注入する薬剤注入井戸に注入される薬液を加熱するヒータを備えることを特徴とする、土壌・地下水浄化装置。
【請求項１１】
嫌気性バイオスティミュレーションを利用して汚染土壌及び地下水を浄化する土壌・地下水浄化装置であって、
嫌気性微生物活性剤を含有する薬液を調整する薬液調整槽と、温水を製造する温水槽を備えることを特徴とする、土壌・地下水浄化装置。
【請求項１２】
嫌気性バイオスティミュレーションを利用して汚染土壌及び地下水を浄化する土壌・地下水浄化装置であって、
地中に設けられ、地中に嫌気性微生物活性剤を含有する薬液を注入する薬剤注入井戸を備え、
前記薬液注入井戸は、上部と底部から、それぞれ異なる薬剤を同時に注入できることを特徴とする、土壌・地下水浄化装置。
【発明の詳細な説明】
【技術分野】
【０００１】
本発明は、嫌気性バイオスティミュレーションを利用して汚染土壌及び地下水を浄化する土壌・地下水浄化方法及び土壌・地下水浄化装置に関する。
【背景技術】
【０００２】
例えば、工場の廃棄物等から漏洩した揮発性有機化合物（ＶＯＣ）や油などの汚染物質が地中に流れ込むと、土壌及び地下水が汚染される。土壌及び地下水中に存在するＶＯＣ等の汚染物質は、人体に悪影響を及ぼすため、可能な限り汚染物質を除去して土壌及び地下水を浄化しなければならない。
【０００３】
例えば、特許文献１には、揮発性有機塩素化合物で汚染された土壌を嫌気性微生物によって浄化処理する方法において、地上や培養槽で加熱してｃｉｓ−ＤＣＥ（シス−ジクロロエチレン）を揮発させることが開示されている。また、特許文献２には、土壌内にスチームを注入して２０〜６０℃に加熱し、土壌内における微生物を活性化させる浄化方法が開示されている。
【先行技術文献】
【特許文献】
【０００４】
【特許文献１】特開２００８−２３８０２７号公報
【特許文献２】特開２００７−２６０６１１号公報
【発明の概要】
【発明が解決しようとする課題】
【０００５】
しかしながら、従来技術では、ＶＯＣの分解に長時間を要し、分解能の効果に時間がかかるという課題があった。
【０００６】
本発明の目的は、嫌気性バイオスティミュレーションを利用して汚染土壌及び地下水を浄化するにあたり、嫌気性微生物活性剤と温度適正範囲を特定し、地中温度を温度適正範囲まで上昇させることにより、ＶＯＣの分解能を向上させ、土壌及び地下水の浄化処理期間を短縮することにある。
【課題を解決するための手段】
【０００７】
上記課題を解決するため、本発明によれば、嫌気性バイオスティミュレーションを利用して汚染土壌及び地下水を浄化する土壌・地下水浄化方法であって、地中に嫌気性微生物活性剤を添加し、地中を３５℃未満に加熱することを特徴とする、土壌・地下水浄化方法が提供される。
【０００８】
この土壌浄化方法において、地中にヒータを挿入して土壌及び地下水を加熱するようにしても良い。この場合、地中に設けられた加熱井戸に前記ヒータを挿入するようにしても良い。また、嫌気性微生物活性剤を含有する薬液を加熱して地中に注入し、地中に嫌気性微生物活性剤を添加するとともに、地中を加熱するようにしても良い。この場合、地中に設けられた薬液注入井戸に、加熱された嫌気性微生物活性剤を含有する薬液を注入するようにしても良い。あるいは、地中に設けられた井戸に温水を注入することによって地中を加熱するようにしても良い。この場合、地中に設けられた薬液注入井戸に、嫌気性微生物活性剤を含有する薬液を注入した後、温水を注入するようにしても良い。あるいは、地中に設けられた薬液注入井戸の上部から、嫌気性微生物活性剤を含有する薬液を注入し、同時に、前記薬液注入井戸の底部から温水を注入するようにしても良い。
【０００９】
また、本発明によれば、嫌気性バイオスティミュレーションを利用して汚染土壌及び地下水を浄化する土壌・地下水浄化装置であって、地中に設けられ、地中に嫌気性微生物活性剤を含有する薬液を注入する薬剤注入井戸と、地中に設けられ、地中を加熱する加熱井戸と、前記加熱井戸に挿入されるヒータを備えることを特徴とする、土壌・地下水浄化装置が提供される。
【００１０】
また、本発明によれば、嫌気性バイオスティミュレーションを利用して汚染土壌及び地下水を浄化する土壌・地下水浄化装置であって、地中に嫌気性微生物活性剤を含有する薬液を注入する薬剤注入井戸に注入される薬液を加熱するヒータを備えることを特徴とする、土壌・地下水浄化装置が提供される。
【００１１】
また、本発明によれば、嫌気性バイオスティミュレーションを利用して汚染土壌及び地下水を浄化する土壌・地下水浄化装置であって、嫌気性微生物活性剤を含有する薬液を調整する薬液調整槽と、温水を製造する温水槽を備えることを特徴とする、土壌・地下水浄化装置が提供される。
【００１２】
また、本発明によれば、嫌気性バイオスティミュレーションを利用して汚染土壌及び地下水を浄化する土壌・地下水浄化装置であって、地中に設けられ、地中に嫌気性微生物活性剤を含有する薬液を注入する薬剤注入井戸を備え、前記薬液注入井戸は、上部と底部から、それぞれ異なる薬剤を同時に注入できることを特徴とする、土壌・地下水浄化装置が提供される。
【発明の効果】
【００１３】
本発明によれば、地中に嫌気性微生物活性剤を添加するとともに、地中を直接加熱することで、嫌気性微生物の活性に最適な条件とすることができる。地中を直接加熱して、地中の温度を３５℃未満に加熱することで、嫌気性微生物の活性化を促進させ、ＶＯＣの分解能を向上させて、土壌及び地下水のＶＯＣの分解処理期間を短縮する。
【００１４】
地中の加熱は、地中にヒータを挿入して土壌及び地下水を加熱する、あるいは、嫌気性微生物活性剤を含有する薬液を加熱して地中に注入する。あるいは温水を注入することによって行うことができる。
【００１５】
本発明にあっては、土壌の温度を５℃〜２０℃程度上昇させるだけであるので、必要なエネルギーが少なくて済み、地中温度が低下する可能性のある冬場の施工も可能である。また、バイオスティミュレーションであるため、外来菌の注入が不要であり、従来菌種を増殖させるだけで浄化処理できるので、低負荷である。さらに、加熱によるＶＯＣの溶脱効果の期待ができ、嫌気性バイオレメデイェーション施工後によく見られるリバウンド（浄化後のＶＯＣｓ濃度の上昇）も解消することができる。
【図面の簡単な説明】
【００１６】
【図１】本発明の実施の形態に係る土壌・地下水浄化装置を設置した地中の断面図である。
【図２】本発明の実施の形態に係る土壌・地下水浄化装置を設置した地中の平面図である。
【図３】本発明の別の実施の形態に係る土壌・地下水浄化装置を設置した地中の断面図である。
【図４】本発明の別の実施の形態に係る土壌・地下水浄化装置を設置した地中の平面図である。
【図５】本発明のさらに別の実施の形態に係る土壌・地下水浄化装置を設置した地中の断面図である。
【図６】本発明のさらに別の実施の形態に係る土壌・地下水浄化装置を設置した地中の断面図である。
【図７】本発明のさらに別の実施の形態に係る土壌・地下水浄化装置を設置した地中の断面図である。
【図８】本発明のさらに別の実施の形態に係る土壌・地下水浄化装置を設置した地中の断面図である。
【図９】養生温度とＴＣＥの分解能の関係を示すグラフである。
【図１０】養生温度とｃｉｓ−ＤＣＥの分解能の関係を示すグラフである。
【発明を実施するための形態】
【００１７】
以下、本発明の実施の形態の一例を、汚染物質に汚染された土壌・地下水１を浄化する土壌・地下水浄化装置２に基づいて説明する。なお、本発明における汚染物質は、不揮発性、揮発性有機化合物を対象としており、例えば、揮発性有機化合物（ＶＯＣ）には、トリクロロエチレン（ＴＣＥ）、ｃｉｓ−ＤＣＥ（シス−ジクロロエチレン）等があげられる。また、本明細書および図面において、実質的に同一の機能構成を有する要素においては、同一の符号を付することにより重複説明を省略する。
【００１８】
図１に示すように、土壌・地下水浄化装置２は、土壌・地下水１中に設けられた薬剤注入井戸１０と加熱井戸１１を備えている。図２に示すように、土壌・地下水１を上から見ると、薬剤注入井戸１０と加熱井戸１１が所定の間隔をあけて交互に配置されており、薬剤注入井戸１０同士の間に加熱井戸１１が位置し、同様に、加熱井戸１１同士の間に薬剤注入井戸１０が位置する関係になっている。
【００１９】
ここで、本発明における「薬液注入井戸」とは、地中に形成された孔に管状（例えば円管状や角管状）の耐熱性及び耐食性を備えた部材が挿入されたものを指す。なお、本実施の形態における井戸の形状は、一例として円管形状とする。また、耐熱性及び耐食性を備えた材質としては、例えばポリ塩化ビニル（ＰＶＣ）、ポリテトラフルオロエチレン（ＰＴＦＥ）、ステンレス等を採用するのが好ましい。
【００２０】
また、本発明における「加熱井戸」とは、地中に形成された孔に管状（例えば円管状や角管状）の金属部材が挿入されたものを指す。なお、本実施の形態における井戸の形状は、一例として円管形状とする。また、金属部材の材質としては、例えばステンレス等の耐食性のあるものを採用するのが好ましい。
【００２１】
土壌・地下水１は、地表面から深さ方向に、不浸透層１５、浸透層１６、不浸透層１７の構造になっている。各井戸は、いずれも下端が不浸透層１７まで到達する位置まで土壌・地下水１中に鉛直方向に挿入されている。
【００２２】
薬剤注入井戸１０には、薬剤注入井戸１０に薬液を注入する配管２０が接合されている。配管２０の上流側には、地上に配置されたポンプ２１が接続されている。ポンプ２１には、薬液調整槽２２で調整された、嫌気性微生物活性剤を含有する薬液が送液されており、このポンプ２１の稼働によって、薬液調整槽２２から薬剤注入井戸１０に嫌気性微生物活性剤を含有する薬液が注入される。薬液調整槽２２には、嫌気性微生物活性剤槽２３から嫌気性微生物活性剤が投入されるとともに貯水槽２４から水が投入され、薬液調整槽２２において、嫌気性微生物活性剤を含有する薬液が調整される。
【００２３】
上述のように円管形状をなしている薬剤注入井戸１０の周面には、複数の穴３０が開口している。したがって、ポンプ２１の稼働によって薬剤注入井戸１０に注入された嫌気性微生物活性剤を含有する薬液は、周面の穴３０を通じて土壌・地下水１中に浸み出し、浸透層１６を介して土壌・地下水１中に嫌気性微生物活性剤を含有する薬液が浸透していく。
【００２４】
加熱井戸１１には、土壌・地下水１を加熱するためのヒータ３５が挿入されている。ヒータ３５には、電線３６が接続されており、コントローラ３７によって、ヒータ３５に供給される電力が制御されている。
【００２５】
以上のように構成された土壌浄化装置２において、ポンプ２１の稼働によって薬剤注入井戸１０に嫌気性微生物活性剤を含有する薬液が注入され、薬剤注入井戸１０の周面から土壌・地下水１中に嫌気性微生物活性剤を含有する薬液が浸透していく。そして、加熱井戸１１に挿入されているヒータ３５に電力が供給され、コントローラ３７の制御により、土壌・地下水１が３５℃未満の温度に加熱される。これにより、土壌・地下水１中に存在している微生物の活性に最適な条件を作り出すことができる。その結果、嫌気性微生物の活性化が促進され、バイオスティミュレーションによるＶＯＣの分解能が向上し、土壌・地下水１のＶＯＣの分解処理期間を短縮することができる。なお、通常、地下水温度は１５〜２０℃程度であり、加熱による浄化期間の短縮は顕著である。土壌・地下水１の加熱を制御しているので、冬場に地下水の温度が低下するようなサイトにおいても実施可能である。
【００２６】
また、土壌・地下水の温度を５℃〜２０℃程度上昇させるだけであるので、ヒータ３５に供給する電力は少なくて済み、冬場の施工も可能である。また、バイオスティミュレーションであるため、外来菌の注入が不要であり、従来菌種を増殖させるだけで浄化処理できるので、低負荷である。さらに、加熱によるＶＯＣの溶脱効果の期待ができ、嫌気性バイオレメデイェーション施工後によく見られるリバウンド（浄化後のＶＯＣｓ濃度の上昇）も解消することができる。
【００２７】
次に、本発明の別の実施の形態に係る土壌・地下水浄化装置を説明する。図３に示すように、この土壌・地下水浄化装置３は、土壌・地下水１中に薬剤注入井戸１０のみが設けられており、加熱井戸１１は備えていない。この土壌浄化装置３では、図４に示すように、土壌・地下水１を上から見ると、薬剤注入井戸１０が所定の間隔をあけて配置されている。
【００２８】
図１で説明した土壌・地下水浄化装置２と同様に、この土壌・地下水浄化装置３でも、薬剤注入井戸１０には配管２０が接合されている。配管２０の上流側には、地上に配置されたポンプ２１が接続されている。ポンプ２１には、薬液調整槽２２で調整された、嫌気性微生物活性剤を含有する薬液が送液されており、このポンプ２１の稼働によって、薬液調整槽２２から薬剤注入井戸１０に嫌気性微生物活性剤を含有する薬液が注入される。薬液調整槽２２には、嫌気性微生物活性剤槽２３から嫌気性微生物活性剤が投入されるとともに貯水槽２４から水が投入され、薬液調整槽２２において、嫌気性微生物活性剤を含有する薬液が調整される。
【００２９】
また、円管形状をなしている薬剤注入井戸１０の周面には、複数の穴３０が開口している。したがって、ポンプ２１の稼働によって薬剤注入井戸１０に注入された嫌気性微生物活性剤を含有する薬液は、周面の穴３０を通じて土壌・地下水１中に浸み出し、浸透層１６を介して土壌・地下水１中に嫌気性微生物活性剤を含有する薬液が浸透していく。
【００３０】
図３に示す、この実施の形態の土壌・地下水浄化装置３では、配管２０の周囲にリボンヒータ４０が装着されている。リボンヒータ４０による加熱温度は、コントローラ３７によって制御されている。
【００３１】
この土壌・地下水浄化装置３においても、ポンプ２１の稼働によって薬剤注入井戸１０に嫌気性微生物活性剤を含有する薬液が注入され、薬剤注入井戸１０の周面から土壌・地下水１中に嫌気性微生物活性剤を含有する薬液が浸透していく。ただし、この土壌・地下水浄化装置３では、薬剤注入井戸１０に注入される際に、配管２０内を流れる間に嫌気性微生物活性剤を含有する薬液がリボンヒータ４０によって加熱され、嫌気性微生物活性剤を含有する薬液が加熱された状態で、薬剤注入井戸１０の周面から土壌・地下水１中に浸透していく。これにより、図１で説明した土壌・地下水浄化装置１と同様に、土壌・地下水１中に存在している嫌気性微生物の活性に最適な条件を作り出すことができる。その結果、嫌気性微生物の活性化が促進され、バイオスティミュレーションによるＶＯＣの分解能が向上し、土壌・地下水１のＶＯＣの分解処理期間を短縮することができる。
【００３２】
次に、本発明のさらに別の実施の形態に係る土壌・地下水浄化装置４を説明する。図５に示すように、この土壌・地下水浄化装置４も、図３で説明した土壌・地下水浄化装置３と同様に、土壌・地下水１中に薬剤注入井戸１０のみが設けられており、加熱井戸１１は備えていない。この土壌・地下水浄化装置４においても、図４に示すように、土壌・地下水１を上から見ると、薬剤注入井戸１０が所定の間隔をあけて配置されている。
【００３３】
図１、３で説明した土壌・地下水浄化装置２、３と同様に、この土壌・地下水浄化装置４でも、薬剤注入井戸１０には配管２０が接合されている。配管２０の上流側には、地上に配置されたポンプ２１が接続されている。ポンプ２１には、薬液調整槽２２で調整された、嫌気性微生物活性剤を含有する薬液が送液されており、このポンプ２１の稼働によって、薬液調整槽２２から薬剤注入井戸１０に嫌気性微生物活性剤を含有する薬液が注入される。薬液調整槽２２には、嫌気性微生物活性剤槽２３から嫌気性微生物活性剤が投入されるとともに貯水槽２４から水が投入され、薬液調整槽２２において、嫌気性微生物活性剤を含有する薬液が調整される。
【００３４】
また、円管形状をなしている薬剤注入井戸１０の周面には、複数の穴３０が開口している。したがって、ポンプ２１の稼働によって薬剤注入井戸１０に注入された嫌気性微生物活性剤を含有する薬液は、周面の穴３０を通じて土壌・地下水１中に浸み出し、浸透層１６を介して土壌・地下水１中に嫌気性微生物活性剤を含有する薬液が浸透していく。
【００３５】
この実施の形態の土壌・地下水浄化装置４では、薬液調整槽２２に電熱ヒータ４５が導入されている。電熱ヒータ４５による加熱温度は、コントローラ３７によって制御されている。こうして、嫌気性微生物活性剤を含有する薬液が加熱されている。その結果、ポンプ２１の稼働によって、薬剤注入井戸１０の周面から、加熱された状態で嫌気性微生物活性剤を含有する薬液が土壌・地下水１中に浸透していく。これにより、図１、３で説明した土壌浄化装置２、３と同様に、土壌・地下水１中に存在している微生物の活性に最適な条件を作り出すことができる。その結果、微生物の活性化が促進され、バイオスティミュレーションによるＶＯＣの分解能が向上し、土壌・地下水１のＶＯＣの分解処理期間を短縮することができる。
【００３６】
次に、本発明のさらに別の実施の形態に係る土壌・地下水浄化装置５を説明する。図６に示すように、この土壌・地下水浄化装置５も、図３、５で説明した土壌・地下水浄化装置３、４と同様に、土壌・地下水１中に薬剤注入井戸１０のみが設けられており、加熱井戸１１は備えていない。この土壌・地下水浄化装置５においても、図４に示すように、土壌・地下水１を上から見ると、薬剤注入井戸１０が所定の間隔をあけて配置されている。
【００３７】
図１、３、５で説明した土壌・地下水浄化装置２、３、４と同様に、この土壌・地下水浄化装置５でも、薬剤注入井戸１０には配管２０が接合されている。配管２０の上流側には、地上に配置されたポンプ２１が接続されている。ポンプ２１には、薬液調整槽２２で調整された、嫌気性微生物活性剤を含有する薬液が送液されており、このポンプ２１の稼働によって、薬液調整槽２２から薬剤注入井戸１０に嫌気性微生物活性剤を含有する薬液が注入される。薬液調整槽２２には、嫌気性微生物活性剤槽２３から嫌気性微生物活性剤が投入されるとともに貯水槽２４から水が投入され、薬液調整槽２２において、嫌気性微生物活性剤を含有する薬液が調整される。
【００３８】
また、円管形状をなしている薬剤注入井戸１０の周面には、複数の穴３０が開口している。したがって、ポンプ２１の稼働によって薬剤注入井戸１０に注入された嫌気性微生物活性剤を含有する薬液は、周面の穴３０を通じて土壌・地下水１中に浸み出し、浸透層１６を介して土壌・地下水１中に嫌気性微生物活性剤を含有する薬液が浸透していく。
【００３９】
この実施の形態の土壌浄化装置４では、ポンプ２１に対して、温水槽４６で製造された温水も導入されている。ポンプ２１の切り替えによって、嫌気性微生物活性剤を含有する薬剤と温水とを交互に、薬剤注入井戸１０に注入することができる。その結果、薬剤注入井戸１０の周面から、温水が土壌・地下水１中に浸透していく課程において、土壌・地下水１を加熱することができる。これにより、図１、３、５で説明した土壌浄化装置２、３、４と同様に、土壌・地下水１中に存在している嫌気性微生物の活性に最適な条件を作り出すことができる。その結果、微生物の活性化が促進され、バイオスティミュレーションによるＶＯＣの分解能が向上し、土壌・地下水１のＶＯＣの分解処理期間を短縮することができる。
【００４０】
次に、本発明のさらに別の実施の形態に係る土壌・地下水浄化装置６を説明する。図７に示すように、この土壌・地下水浄化装置６も、図３、５、６で説明した土壌・地下水浄化装置３、４、５と同様に、土壌・地下水１中に薬剤注入井戸１０のみが設けられており、加熱井戸１１は備えていない。この土壌・地下水浄化装置６においても、図４に示すように、土壌・地下水１を上から見ると、薬剤注入井戸１０が所定の間隔をあけて配置されている。
【００４１】
図１、３、５、６で説明した土壌・地下水浄化装置２、３、４、５と同様に、この土壌・地下水浄化装置６でも、薬剤注入井戸１０には配管２０が接合されている。配管２０の上流側には、地上に配置されたポンプ２１が接続されている。ポンプ２１には、薬液調整槽２２で調整された、嫌気性微生物活性剤を含有する薬液が送液されており、このポンプ２１の稼働によって、薬液調整槽２２から薬剤注入井戸１０に嫌気性微生物活性剤を含有する薬液が注入される。薬液調整槽２２には、嫌気性微生物活性剤槽２３から嫌気性微生物活性剤が投入されるとともに貯水槽２４から水が投入され、薬液調整槽２２において、嫌気性微生物活性剤を含有する薬液が調整される。
【００４２】
また、円管形状をなしている薬剤注入井戸１０の周面には、複数の穴３０が開口している。したがって、ポンプ２１の稼働によって薬剤注入井戸１０に注入された嫌気性微生物活性剤を含有する薬液は、周面の穴３０を通じて土壌・地下水１中に浸み出し、浸透層１６を介して土壌・地下水１中に嫌気性微生物活性剤を含有する薬液が浸透していく。
【００４３】
この実施の形態の土壌・地下水浄化装置６では、薬液調整槽２２で調整された嫌気性微生物活性剤を含有する薬剤と温水槽４６で製造された温水を井戸上部で同時に注入できる配管２５を備えている。配管２５は薬剤注入井戸１０の上部に設置し、嫌気性微生物活性剤を含有する薬剤が注入できる配管２０と温水が注入できる配管２６が導入されている。その結果、薬剤注入井戸内で温水によって嫌気性微生物活性剤を含有する薬剤が加熱され、薬剤注入井戸１０の周面から、薬液が土壌・地下水１中に浸透していく課程において土壌・地下水１を加熱することができる。これにより、図１、３、５、６で説明した土壌浄化装置２、３、４、５と同様に、土壌・地下水１中に存在している嫌気性微生物の活性に最適な条件を作り出すことができる。その結果、嫌気性微生物の活性化が促進され、バイオスティミュレーションによるＶＯＣの分解能が向上し、土壌・地下水１のＶＯＣの分解処理期間を短縮することができる。
【００４４】
次に、本発明のさらに別の実施の形態に係る土壌・地下水浄化装置７を説明する。図８に示すように、この土壌・地下水浄化装置７も、図３、５、６、７で説明した土壌・地下水浄化装置３、４、５、６と同様に、土壌・地下水１中に薬剤注入井戸１０のみが設けられており、加熱井戸１１は備えていない。この土壌・地下水浄化装置７においても、図４に示すように、土壌・地下水１を上から見ると、薬剤注入井戸１０が所定の間隔をあけて配置されている。
【００４５】
図１、３、５、６、７で説明した土壌・地下水浄化装置２、３、４、５、６と同様に、この土壌・地下水浄化装置７でも、薬剤注入井戸１０には配管２０が接合されている。配管２０の上流側には、地上に配置されたポンプ２１が接続されている。ポンプ２１には、薬液調整槽２２で調整された、嫌気性微生物活性剤を含有する薬液が送液されており、このポンプ２１の稼働によって、薬液調整槽２２から薬剤注入井戸１０に嫌気性微生物活性剤を含有する薬液が注入される。薬液調整槽２２には、嫌気性微生物活性剤槽２３から嫌気性微生物活性剤が投入されるとともに貯水槽２４から水が投入され、薬液調整槽２２において、嫌気性微生物活性剤を含有する薬液が調整される。
【００４６】
また、円管形状をなしている薬剤注入井戸１０の周面には、複数の穴３０が開口している。したがって、ポンプ２１の稼働によって薬剤注入井戸１０に注入された嫌気性微生物活性剤を含有する薬液は、周面の穴３０を通じて土壌・地下水１中に浸み出し、浸透層１６を介して土壌・地下水１中に嫌気性微生物活性剤を含有する薬液が浸透していく。
【００４７】
図７で説明した土壌・地下水浄化装置６と同様に、この土壌・地下水浄化装置７でも、薬液調整槽２２で調整された嫌気性微生物活性剤を含有する薬剤と温水槽４６で製造された温水を井戸上部で同時に注入できる配管２５を備えている。配管２５は薬剤注入井戸１０の上部に設置し、嫌気性微生物活性剤を含有する薬剤が注入できる配管２０と温水が注入できる配管２６が導入されている。
【００４８】
この実施の形態の土壌・地下水浄化装置７では、配管２５の中に配管２７が薬剤注入井戸１０の底部まで導入されている。嫌気性微生物活性剤を含有する薬剤が薬剤注入井戸１０の上部より、温水は配管２７によって薬剤注入井戸１０の上底部より注入することができる。薬剤注入井戸内で温水によって嫌気性微生物活性剤を含有する薬剤が加熱され、薬剤注入井戸１０の周面から、薬液が土壌・地下水１中に浸透していく課程において土壌・地下水１を加熱することができる。また、薬剤注入井戸１０の底部より温水を注入することができるのでより効果的に土壌・地下水１中を加熱することができる。これにより、図１、３、５、６、７で説明した土壌浄化装置２、３、４、５、６と同様に、土壌・地下水１中に存在している嫌気性微生物の活性に最適な条件を作り出すことができる。その結果、微生物の活性化が促進され、バイオスティミュレーションによるＶＯＣの分解能が向上し、土壌・地下水１のＶＯＣの分解処理期間を短縮することができる。
【００４９】
ここで、本発明において、温水を薬剤注入井戸１０の底部に注入することができる「配管２７」については、耐熱性、耐圧性、耐食性を備えたホース等でも構わない。
【００５０】
以上、本発明の実施の形態を例示して説明したが、本発明はかかる形態に限定されない。当業者であれば、特許請求の範囲に記載された技術的思想の範疇内において、各種の変更例または修正例に想到しうることは明らかであり、それらについても当然に本発明の技術的範囲に属するものと了解される。
【００５１】
例えば、本発明の実施の形態では、いずれも嫌気性微生物活性剤を含有する薬液を地中に注入する例を説明したが、地中に添加する嫌気性微生物活性剤は、溶液でも粉末の状態でも構わない。また、説明したように、地中の加熱は、例えば、地中にヒータを挿入して地中を加熱する、または、嫌気性微生物活性剤を含有する薬液を加熱して土壌中に注入する、あるいは、温水を注入することによって行うことができる。また、薬剤注入井戸や加熱井戸の数、配置は任意であり、汚染範囲等に応じて適宜変更されるものである。なお、薬剤注入井戸のピッチ（間隔）は、１〜１０ｍ程度とすると良い。また、加熱井戸のピッチ（間隔）は、２〜５ｍ程度とすると良い。また、各井戸の深さは適宜変更できる。また、各井戸の形状は、円管形状に限られるものではなく、角管形状やその他の形状であっても良い。
【実施例】
【００５２】
（実施例１）
ＶＯＣの影響が少ないテフロン（登録商標）製の蓋及び採水コックとガスパージ用コックが付いたガラス瓶に土壌及び地下水を入れた。なお、土壌及び地下水は現地にて投入が望ましいが、冷蔵にて実験室に持ち帰り、窒素雰囲気下のグローブボックス内での投入とした。ガラス瓶に入れた土壌及び地下水に嫌気性微生物活性剤を添加して密栓した。ガスパージコックより嫌気性ガスパージを行い、揮発性有機化合物（ＶＯＣ）としてトリクロロエチレン（ＴＣＥ）を所定量添加した。恒温槽にて養生し、定期的に採水して、ＶＯＣの分析を行った。なお、採水は試験系内のヘッドスペースの変化を小さくするため、最小量で行った。また、採水は空気が入らないよう、窒素ガスを入れて押し出すようにした。
【００５３】
恒温槽にて養生する温度を、５℃、１５℃、２０℃、２５℃、３０℃、３５℃（ＴＣＥの分解能のみ）、４０℃それぞれの場合について、測定を行った。
【００５４】
その結果を図９、１０に示す。なお、図９は、養生温度とＴＣＥの分解能の関係を示すグラフである。図１０は、養生温度とｃｉｓ−ＤＣＥの分解能の関係を示すグラフである。
【００５５】
図９に示すように、ＴＣＥ→ｃｉｓ−ＤＣＥの脱塩素化反応は３５℃で３日程度と最も早く、５℃では分解しなかった。
【００５６】
また、図１０に示すように、ｃｉｓ−ＤＣＥの分解は３０℃が最も早く、４０℃では分解するまでに時間を要する。そのため、加熱は３５℃未満が良い。
【産業上の利用可能性】
【００５７】
本発明は、揮発性有機化合物（ＶＯＣ）などに汚染された土壌を浄化する技術に適用することができる。
【符号の説明】
【００５８】
１  土壌・地下水
２、３、４、５、６、７  土壌浄化装置
１０  薬剤注入井戸
１１  加熱井戸
１５  不浸透層
１６  浸透層
１７  不浸透層
２０  配管
２１  ポンプ
２２  薬液調整槽
２３  微生物活性剤槽
２４  貯水槽
２５  薬液・温水同時注入用配管
２６  配管
２７  井戸底部注入配管
３０  穴
３５  ヒータ
３６  電線
３７  コントローラ
４０  リボンヒータ
４５  電熱ヒータ
４６  温水槽
【図１】
2015024401.tif 000003
【図２】
2015024401.tif 000004
【図３】
2015024401.tif 000005
【図４】
2015024401.tif 000006
【図５】
2015024401.tif 000007
【図６】
2015024401.tif 000008
【図７】
2015024401.tif 000009
【図８】
2015024401.tif 000010
【図９】
2015024401.tif 000011
【図１０】
2015024401.tif 000012